(57)【要約】【課題】テレビ放送を受信し視聴するユーザに対して、有料放送への加入を勧める情報を好適に提示する。【解決手段】受信機は、有料放送サービスの加入ＰＲ画面とＰＲ画面の表示期間情報を保持する。機器内の日時情報を参照し、期間内であるときに、有料放送サービスのチャンネルを含む、放送波の設定画面の設定完了画面に引き続き、サービス加入ＰＲ画面を表示し、期間外であるときは表示しない。購入後又は装置の移設後など、必ずユーザの実行する設定操作完了時に、設定と関連する告知画面を表示することで、必ず目に触れさせることができる。【選択図】  図２１
2009153060.tif 000002
【特許請求の範囲】
【請求項１】
テレビ放送を受信し視聴するユーザに対して所定の情報を提示する情報処理装置であって、
情報を格納する情報記録手段と、
情報を表示する情報表示手段と、
前記情報記録手段に、ＰＲ対象となる有料放送サービス・チャンネルの加入ＰＲ画面情報及びその表示期間を格納する加入ＰＲ画面情報導入手段と、
加入ＰＲ画面情報を前記情報表示手段で表示するタイミングを制御する表示タイミング制御手段と、
前記表示タイミング制御手段により制御されるタイミングの日時において表示期間内又は当該期間前となる加入ＰＲ画面情報を前記情報記録手段から取り出して、前記情報表示手段で表示する加入ＰＲ画面情報表示制御手段と、
を具備することを特徴とする情報処理装置。
【請求項２】
前記情報処理装置は、有料放送サービス・チャンネルを含むテレビ放送を受信する放送受信部を備えた受信機として構成され、
前記情報表示手段で表示する放送波の設定画面上でのユーザ操作を介して前記放送受信部における放送波の設定を行なう放送波設定手段をさらに備え、
前記表示タイミング制御手段は、ＰＲ対象となる有料放送サービスのチャンネルを含む、放送波の設定画面の設定完了時を、加入ＰＲ画面情報を前記情報表示手段で表示するタイミングとして制御する、
ことを特徴とする請求項１に記載の情報処理装置。
【請求項３】
前記加入ＰＲ画面情報導入手段は、２以上の加入ＰＲ画面情報を、その表示期間及び表示の際の優先順位とともに前記情報記録手段に格納し、
前記加入ＰＲ画面情報表示制御手段は、前記表示タイミング制御手段により制御されるタイミングの日時において表示期間内又は当該期間前となる複数の加入ＰＲ画面情報が前記情報記録手段から取り出されたときには、各加入ＰＲ画面情報に割り当てられた優先順位に応じて表示形態を制御する、
ことを特徴とする請求項１に記載の情報処理装置。
【請求項４】
前記加入ＰＲ画面情報表示制御手段は、前記表示タイミング制御手段により制御されるタイミングの日時において表示期間前となる加入ＰＲ画面情報が前記情報記録手段から取り出されたときには、加入開始日時の予告情報とともに当該加入ＰＲ画面情報を前記情報表示手段で表示する、
ことを特徴とする請求項１に記載の情報処理装置。
【請求項５】
前記表示タイミング制御手段は、当該装置の電源をオンにしたとき又は前記情報表示手段に所定の基本画面に遷移するときを、加入ＰＲ画面情報を前記情報表示手段で表示するタイミングとして制御し、
ユーザが加入ＰＲ画面の表示を選択したときに、前記加入ＰＲ画面情報表示制御手段は、表示期間内になった以降で最初に到来する表示タイミングで加入ＰＲ画面情報を表示する、
ことを特徴とする請求項１に記載の情報処理装置。
【請求項６】
加入ＰＲ画面情報は、ＰＲ対象となる有料放送サービス・チャンネルの加入手続きを行なうサイトを示すＵＲＬ又は当該ＵＲＬを含むＱＲコード、加入申し込みのメール・アドレスを含む、
ことを特徴とする請求項１に記載の情報処理装置。
【請求項７】
当該装置又は当該装置に接続された機器の内部情報を取得する内部情報取得手段をさらに備え、
前記加入ＰＲ画面情報表示制御手段は、加入ＰＲ画面情報に併せて該取得された内部情報を前記情報表示手段で表示する、
ことを特徴とする請求項１に記載の情報処理装置。
【請求項８】
前記情報処理装置は、有料放送サービス・チャンネルを含むテレビ放送を受信する放送受信部を備えた受信機として構成され、
ＰＲ対象となる有料放送サービス・チャンネルの受信強度、又は、アンテナの接続若しくはチャンネル設定の状況のうち少なくとも１つを含む内部情報を取得する内部情報取得手段をさらに備え、
前記加入ＰＲ画面情報表示制御手段は、加入ＰＲ画面情報に併せて該取得された内部情報を前記情報表示手段で表示する、
ことを特徴とする請求項１に記載の情報処理装置。
【請求項９】
前記情報処理装置は、有料放送サービス・チャンネルを含むテレビ放送を受信する放送受信部を備えた受信機として構成され、
既に加入している有料放送サービス・チャンネルに関する内部情報を取得する内部情報取得手段をさらに備え、
前記加入ＰＲ画面情報表示制御手段は、前記表示タイミング制御手段により制御されるタイミングの日時において表示期間内又は当該期間前となる加入ＰＲ画面情報のうち、未加入チャンネルの加入ＰＲ画面情報のみ表示する、
ことを特徴とする請求項１に記載の情報処理装置。
【請求項１０】
ＰＲ対象となる有料放送サービス・チャンネルでは無料体験番組が提供されており、
前記情報処理装置は、有料放送サービス・チャンネルを含むテレビ放送を受信する放送受信部を備えた受信機として構成され、且つ、前記情報記録手段に番組の録画並びに録画予約が可能であり、
ＰＲ対象となる有料放送サービス・チャンネルで提供される無料体験番組に関する情報を取得する無料体験番組情報取得手段と、
前記加入ＰＲ画面情報表示制御手段による加入ＰＲ画面上でユーザが無料体験番組の録画予約実行を指示したことに応じて、ＰＲ対象となる有料放送サービス・チャンネルで提供される無料体験番組の一覧を表示するとともに、該一覧のうちユーザが選択したものの録画予約を行なう無料体験番組録画予約実行手段と、
をさらに備えることを特徴とする請求項１に記載の情報処理装置。
【請求項１１】
テレビ放送を受信し視聴するユーザに対して所定の情報を提示する情報処理方法であって、
ＰＲ対象となる有料放送サービス・チャンネルの加入ＰＲ画面情報及びその表示期間を情報記録手段に格納する加入ＰＲ画面情報導入ステップと、
加入ＰＲ画面情報を情報表示手段で表示するタイミングを制御する表示タイミング制御ステップと、
前記表示タイミング制御ステップにより制御されるタイミングの日時において表示期間内又は当該期間前となる加入ＰＲ画面情報を前記情報記録手段から取り出して、前記情報表示手段で表示する加入ＰＲ画面情報表示制御ステップと、
を具備することを特徴とする情報処理方法。
【請求項１２】
テレビ放送を受信し視聴するユーザに対して所定の情報を提示するための処理をコンピュータ上で実行するようにコンピュータ可読形式で記述されたコンピュータ・プログラムであって、前記コンピュータを、
情報を格納する情報記録手段と、
情報を表示する情報表示手段と、
前記情報記録手段に、ＰＲ対象となる有料放送サービス・チャンネルの加入ＰＲ画面情報及びその表示期間を格納する加入ＰＲ画面情報導入手段と、
加入ＰＲ画面情報を前記情報表示手段で表示するタイミングを制御する表示タイミング制御手段と、
前記表示タイミング制御手段により制御されるタイミングの日時において表示期間内又は当該期間前となる加入ＰＲ画面情報を前記情報記録手段から取り出して、前記情報表示手段で表示する加入ＰＲ画面情報表示制御手段と、
として機能させるためのコンピュータ・プログラム。
【発明の詳細な説明】
【技術分野】
【０００１】
本発明は、ユーザに提示する情報を処理する情報処理装置及び情報処理方法、並びにコンピュータ・プログラムに係り、特に、テレビ放送を受信し視聴するユーザに対して所定の情報を提示する情報処理装置及び情報処理方法、並びにコンピュータ・プログラムに関する。
【０００２】
さらに詳しくは、本発明は、テレビ放送を受信し視聴するユーザに対して所定の告知情報を表示する情報処理装置及び情報処理方法、並びにコンピュータ・プログラムに係り、特に、テレビ放送を受信し視聴するユーザに対して有料放送への加入を勧める加入ＰＲ画面情報を提示する情報処理装置及び情報処理方法、並びにコンピュータ・プログラムに関する。
【背景技術】
【０００３】
現代の情報文明社会において、放送の役割は計り知れない。とりわけ、音響とともに映像情報を視聴者の元に直接届けるテレビ放送の影響は大きい。テレビ放送は、国営若しくは民間の放送局が映像及び音声情報を電気信号に変換して送信し、受信すなわち視聴者側ではチューナで受信並びに選局してディスプレイ画面上に画像を再現するシステムである。
【０００４】
テレビの普及率は極めて高く、各放送局から配信される放送コンテンツを受像するテレビ受像機は、家庭内における必需品としての地位を確立しており、各放送局から配信される放送コンテンツは不特定多数の人々によって視聴されている。
【０００５】
テレビ放送サービスは、長らく地上波アナログ放送の形態で運営されてきたが、最近ではデジタル化が進むとともに、通信衛星や放送衛星を用いた衛星デジタル放送も行なわれている。衛星デジタル放送の多くは有料放送、すなわち、視聴料を支払う契約をした上で受信可能となる放送サービスであり、スクランブル放送やＰＰＶ（ペイ・パー・ビュー）が挙げられる。前者のスクランブル放送では、映像、音声、並びにデータ信号にスクランブルをかけて送出し、視聴権を有する受信機のみがスクランブルを解いて視聴する。
【０００６】
有料放送を運営する放送サービス会社にとっては、加入者を募るための広告、宣伝活動が必須である。例えば、有料放送を行なうチャンネル上の一部の時間帯に割り当てられた無料放送や、プロモーション・チャンネルなどを媒介として、有料放送サービスの加入ＰＲを行なうことができる。
【０００７】
しかしながら、視聴者は、該当する有料放送を放送するネットワーク（例えば、ＣＳ）に切り替え、プロモーション・チャンネルを選択する操作を必要とする。言い換えれば、視聴者が、他の広告手段や、地上波チャンネルにおけるＣＭ（Ｃｏｍｍｅｒｃｉａｌ  Ｍｅｓｓａｇｅ）、新聞若しくは雑誌の広告などで、該当するチャンネルをあらかじめ知る必要があり、接触機会の多いテレビ画面上では視聴者に対するＰＲ効果がほとんどない。
【０００８】
例えば、本放送番組の表示画面の周縁に、スポンサの商品を紹介する補完放送番組のシンボル画面を配置し、ユーザがリモコンなどによりシンボル画面を選択すると、シンボル画面に替えて、シンボル画面に対応する補完放送番組を表示する情報処理装置について提案がなされており（例えば、特許文献１を参照のこと）、商品に関する詳細な情報など所定のＰＲ活動を行なうことができる。しかしながら、視聴者は、該当する有料放送を放送するネットワークに切り替えなければ、シンボル画面に触れることはなく、ＰＲ効果に限界がある。
【０００９】
【特許文献１】特開２００１−３６８３３号公報
【発明の開示】
【発明が解決しようとする課題】
【００１０】
本発明の目的は、テレビ放送を受信し視聴するユーザに対して所定の情報を好適に提示することができる、優れた情報処理装置及び情報処理方法、並びにコンピュータ・プログラムを提供することにある。
【００１１】
本発明のさらなる目的は、テレビ放送を受信し視聴するユーザに対して、所定の告知画面を好適に表示することができる、優れた情報処理装置及び情報処理方法、並びにコンピュータ・プログラムを提供することにある。
【００１２】
本発明のさらなる目的は、テレビ放送を受信し視聴するユーザに対して、有料放送への加入を勧める加入ＰＲ画面情報を好適に提示することができる、優れた情報処理装置及び情報処理方法、並びにコンピュータ・プログラムを提供することにある。
【課題を解決するための手段】
【００１３】
本発明は、上記課題を参酌してなされたものであり、その第１の側面は、テレビ放送を受信し視聴するユーザに対して所定の情報を提示する情報処理装置であって、
情報を格納する情報記録手段と、
情報を表示する情報表示手段と、
前記情報記録手段に、ＰＲ対象となる有料放送サービス・チャンネルの加入ＰＲ画面情報及びその表示期間を格納する加入ＰＲ画面情報導入手段と、
加入ＰＲ画面情報を前記情報表示手段で表示するタイミングを制御する表示タイミング制御手段と、
前記表示タイミング制御手段により制御されるタイミングの日時において表示期間内又は当該期間前となる加入ＰＲ画面情報を前記情報記録手段から取り出して、前記情報表示手段で表示する加入ＰＲ画面情報表示制御手段と、
を具備することを特徴とする情報処理装置である。
【００１４】
衛星デジタル放送などにおいて、視聴料を支払う契約をした上で受信可能となる有料放送サービスが広く普及している。現在、有料放送を行なうチャンネル上の一部の時間帯に割り当てられた無料放送や、プロモーション・チャンネルなどを媒介として、有料放送サービスの加入ＰＲを行なうのが一般的であるが、視聴者が、他の広告手段や、地上波チャンネルにおけるＣＭ、新聞若しくは雑誌の広告などで、該当するチャンネルをあらかじめ知る必要があり、接触機会の多いテレビ画面上では視聴者に対するＰＲ効果がほとんどない。
【００１５】
これに対し、本発明に係る情報処理装置は、例えばＢＳ／ＣＳ衛星デジタル放送用の受信機に適用することができるが、ＰＲ対象となる有料放送サービスについての１以上の加入ＰＲ画面情報と、各加入ＰＲ画面情報についての表示期間情報を保持している。そして、加入ＰＲ画面の表示タイミングが到来すると、機器内での現在の日時情報を参照し、加入ＰＲ画面情報の表示期間内並びにその期間前であるときには（若しくは、表示期間内並びにその期間前となる加入ＰＲ画面情報が保持されているときには）、加入ＰＲ画面を表示し、期間外であるときは表示しない。
【００１６】
ここで、加入ＰＲ画面情報を表示する表示するタイミングとして、具体的には、ＰＲ対象となる有料放送サービスのチャンネルを含む、放送波の設定画面の設定完了時を挙げることができる。衛星放送チューナを購入後又は装置の移設後などにおいて、ユーザは、アンテナ・ケーブルの接続やアンテナ・レベルの確認などの放送波の設定を行なうのが一般的である。ＰＲ対象となる有料放送サービスのチャンネルを含む、放送波の設定画面の設定完了画面に引き続いて、必ずユーザの実行する設定操作完了時に、設定と関連する告知画面を表示することで、必ず目に触れさせることができる。
【００１７】
購入したばかりの機器の設定を終えたユーザは、いろいろ試して何かをしてみたいという心理状態に陥ることが想定され、加入ＰＲ画面を提示して得られる広告、宣伝の効果が極めて高い、と本発明者らは思料する。
【００１８】
加入ＰＲ画面には、例えば、ＰＲ対象となる有料放送サービス・チャンネルの加入手続きを行なうサイトを示すＵＲＬ又は当該ＵＲＬを含むＱＲコード、加入申し込みのメール・アドレスを含んでいる。
【００１９】
また、所定の表示タイミングにおいて、表示期間内並びにその期間前の加入ＲＰ画面が表示される一方、表示期間の終了日以降は、同様に放送波の設定を行なった後でも、加入ＰＲ画面が表示されないことから、無駄な表示をせず、エラー表示による不安感や、加入操作をした末に加入できないことによる不快感をユーザに与えなくて済む。
【００２０】
前記加入ＰＲ画面情報導入手段は、２以上の加入ＰＲ画面情報を情報記録手段に格納することができる。このような場合、各加入ＰＲ画面情報には表示の際の優先順位を割り当てるようにする。そして、前記加入ＰＲ画面情報表示制御手段は、加入ＰＲ画面の表示タイミングにおいて、表示期間が重複する複数の加入ＰＲ画面情報が前記情報記録手段から取り出されたときには、各加入ＰＲ画面情報に割り当てられた優先順位に応じて表示形態に軽重を付けるように制御するようにすればよい。例えば、優先順位に応じた順番で各加入ＰＲ画面情報を画面表示する、優先順位に応じた大きさ若しくは画面配置で各加入ＰＲ画面情報を並列表示する、優先順位の高い加入ＰＲ画面情報ほど長く表示するなど、表示形態の制御はさまざまである。
【００２１】
また、前記加入ＰＲ画面情報表示制御手段は、前記表示タイミング制御手段により制御されるタイミングの日時において表示期間前となる加入ＰＲ画面情報が前記情報記録手段から取り出されたときには、加入開始日時の予告情報とともに当該加入ＰＲ画面情報を前記情報表示手段で表示するようにしてもよい。加入ＰＲ画面が予告であることを明示する意図は、表示した時点では加入手続きをとることはできないが、加入開始時にユーザが忘れている子を避けることにある。また、加入ＰＲ画面が予告であることを明示することにより、加入開始日時よりも前に無駄な加入操作をした末に加入できないことによる不快感をユーザに与えなくて済む。
【００２２】
あるいは、表示期間前の加入ＰＲ画面を予告情報とともに表示することの代替手段として、ユーザが加入ＰＲ画面の表示を選択したときに、前記加入ＰＲ画面情報表示制御手段は、表示期間内になった以降で最初に到来する表示タイミングで加入ＰＲ画面情報を表示するようにしてもよい。
【００２３】
また、本発明の第１の側面に係る情報処理装置は、当該装置又は当該装置に接続された機器の内部情報を取得する内部情報取得手段をさらに備え、前記加入ＰＲ画面情報表示制御手段は、加入ＰＲ画面情報に併せて該取得された内部情報を前記情報表示手段で表示するようにしてもよい。
【００２４】
具体的には、内部情報取得手段は、内部情報として、ＰＲ対象となる有料放送サービス・チャンネルの受信強度、又は、アンテナの接続若しくはチャンネル設定の状況などを取得して、加入ＰＲ画面情報に併せて表示する。例えば、該当するチャンネルの受信強度が十分であるときには、「この設定で○○放送が受信できるようになりました」という内容のコメントを表示する。逆に、該当するチャンネルの受信強度が十分でないときには、「本機は○○放送にも対応しておりますがアンテナレベルが小さくて視聴できません」、又は、「本機は○○放送にも対応しております  ＢＳ／ＣＳアンテナを接続し、“ＢＳ／ＣＳチャンネル設定”をすることで視聴できます」という内容のコメントを表示する。
【００２５】
また、内部情報として、既に加入している有料放送サービス・チャンネルに関する情報を取得し、前記加入ＰＲ画面情報表示制御手段は、前記タイミングの日時において表示期間内又は当該期間前となる加入ＰＲ画面情報のうち、未加入チャンネルの加入ＰＲ画面情報のみ表示するようにして、無駄なＰＲは行なわないようにしてもよい。
【００２６】
また、内部情報として、ユーザの嗜好情報を装置内に蓄積しておき、前記加入ＰＲ画面情報表示制御手段は、加入ＰＲ画面情報との組み合わせに応じて、表示するメッセージ・テキストや画面を切り替えるようにしてもよい。
【００２７】
また、ＰＲ対象となる有料放送サービス・チャンネルでは無料体験番組が提供されていることがおおい。そこで、ＰＲ対象となる有料放送サービス・チャンネルで提供される無料体験番組に関する情報を取得しておき、所定の表示タイミングで表示された加入ＰＲ画面上でユーザが無料体験番組の録画予約実行を指示したことに応じて、ＰＲ対象となる有料放送サービス・チャンネルで提供される無料体験番組の一覧を表示するとともに、該一覧のうちユーザが選択したものの録画予約を行なうようにしてもよい。
【００２８】
また、本発明の第２の側面は、テレビ放送を受信し視聴するユーザに対して所定の情報を提示するための処理をコンピュータ上で実行するようにコンピュータ可読形式で記述されたコンピュータ・プログラムであって、前記コンピュータを、
情報を格納する情報記録手段と、
情報を表示する情報表示手段と、
前記情報記録手段に、ＰＲ対象となる有料放送サービス・チャンネルの加入ＰＲ画面情報及びその表示期間を格納する加入ＰＲ画面情報導入手段と、
加入ＰＲ画面情報を前記情報表示手段で表示するタイミングを制御する表示タイミング制御手段と、
前記表示タイミング制御手段により制御されるタイミングの日時において表示期間内又は当該期間前となる加入ＰＲ画面情報を前記情報記録手段から取り出して、前記情報表示手段で表示する加入ＰＲ画面情報表示制御手段と、
として機能させるためのコンピュータ・プログラムである。
【００２９】
本発明の第２の側面に係るコンピュータ・プログラムは、コンピュータ上で所定の処理を実現するようにコンピュータ可読形式で記述されたコンピュータ・プログラムを定義したものである。換言すれば、本発明の第２の側面に係るコンピュータ・プログラムをコンピュータにインストールすることによって、コンピュータ上では協働的作用が発揮され、本発明の第１の側面に係る情報処理装置と同様の作用効果を得ることができる。
【発明の効果】
【００３０】
本発明によれば、テレビ放送を受信し視聴するユーザに対して、所定の告知画面を好適に表示することができる、優れた情報処理装置及び情報処理方法、並びにコンピュータ・プログラムを提供することができる。
【００３１】
また、本発明によれば、テレビ放送を受信し視聴するユーザに対して、有料放送への加入を勧める加入ＰＲ画面情報を好適に提示することができる、優れた情報処理装置及び情報処理方法、並びにコンピュータ・プログラムを提供することができる。
【００３２】
本発明をテレビ放送の受信機に適用した場合、購入後又は装置の移設後など、必ずユーザの実行する（放送波の）設定操作完了時に、有料放送の加入ＰＲ画面のような、設定と関連する告知画面を表示することで、必ず目に触れさせることができる。これによって、有料放送サービスの認知向上が可能であり、同時に効果的な加入ＰＲを実施することができる。また、表示期間の終了日以降は、同様に放送波の設定を行なった後でも、加入ＰＲ画面が表示されないことから、無駄な表示をせず、エラー表示による不安感や、加入操作をした末に加入できないことによる不快感をユーザに与えなくて済む。
【００３３】
本発明のさらに他の目的、特徴や利点は、後述する本発明の実施形態や添付する図面に基づくより詳細な説明によって明らかになるであろう。
【発明を実施するための最良の形態】
【００３４】
以下、図面を参照しながら本発明の実施形態について詳解する。
【００３５】
本発明は、ユーザに提示する情報を処理する情報処理装置に関するが、例えば、テレビ放送を受信し視聴するための受信機に適用することができ、テレビ放送の受信者であるユーザに対し、所定の告知情報を提示することができる。ここで言う告知情報の具体例は、有料放送サービスへの加入ＰＲ画面である。
【００３６】
図１には、本発明の一実施形態に係る情報処理装置１００の構成を模式的に示している。
【００３７】
同図に示すように、ＣＰＵ（Ｃｅｎｔｒａｌ Ｐｒｏｃｅｓｓｉｎｇ Ｕｎｉｔ）４０１には、システム・バス４０２を介して、ＲＯＭ（Ｒｅａｄ Ｏｎｌｙ Ｍｅｍｏｒｙ）４０３と、ＲＡＭ（Ｒａｎｄｏｍ Ａｃｃｅｓｓ Ｍｅｍｏｒｙ）４０４と、入力操作部４０５と、ＡＶインターフェース部４０６と、表示部４０７と、ネットワーク接続部４０８と、復号部４０９と、符号化部４１０と、放送受信部４１１と、情報記録部１０３と、メディア・インターフェース部４１４が接続されている。また、図示しないが、当該装置１００内には、リアルタイムクロックなどを用いて現在時刻を計時して日時情報を管理する手段を備えているものとする。
【００３８】
入力操作部４０５は、各種のキーなどを備え、ユーザからの選局や放送コンテンツの情報記録部１０３への録画などの各種の指令の入力を処理する。ここで、情報記録部１０３は、例えば、ハード・ディスクに代表される固定型の記録メディア、あるいはＤＶＤやブルーレイ・ディスクなどの可搬型の記録メディアを備えた大容量の記録装置である。入力操作部４０５より入力された各種の指令は、図示しないインターフェース部によってシステム・バス４０２を通じてＣＰＵ４０１に供給される。入力操作部４０５が装備するキー／ボタン群として、チャンネル選択ボタンや選局ボタン、音量調整ボタン、上下左右のカーソル・ボタン、「決定」ボタン、「戻る」ボタン、「選択」ボタン、「実行」ボタン、「中止」ボタンなどが含まれる。なお、図示しないが、入力操作部４０５は、装置１００本体に配設されたキー／ボタン群の他に、赤外線通信を介して遠隔操作するリモートコマンダ（リモコン）も含むものとする。
【００３９】
表示部４０７は、例えば、ＬＣＤ（Ｌｉｑｕｉｄ Ｃｒｙｓｔａｌ Ｄｉｓｐｌａｙ）などの表示器と、表示器を駆動する表示制御回路よりなり、例えば、ユーザから入力された指令やデータの確認、各種のステータスなどを表示する。
【００４０】
ＡＶインターフェース部４０６は、この情報記録装置１００に接続されたテレビジョンなどの外部ＡＶ機器６との間で映像信号及び音声信号の入出力を処理する。
【００４１】
放送受信部４１１は、入力操作部４０５を介したユーザの選局操作に応じて、例えば、地上デジタル放送、ＣＳ（Ｃｏｍｍｕｎｉｃａｔｉｏｎ  Ｓａｔｅｌｌｉｔｅ）デジタル放送、ＢＳ（Ｂｒｏａｄｃａｓｔｉｎｇ  Ｓａｔｅｌｌｉｔｅ）デジタル放送など、各種の放送形態の放送局２〜４からの放送波を受信し、映像信号及び音声信号を復調する。
【００４２】
ネットワーク接続部４０８は、ＴＣＰ／ＩＰなどの所定の通信プロトコルに則って、ネットワーク１との接続を処理する。本実施形態では、加入ＰＲ画面情報や、加入ＰＲ画面に併せて再生出力するＰＲ音声やＰＲビデオ、ＰＲメッセージ・テキストをネットワーク経由で自動的に取得するようにしてもよい。
【００４３】
復号部４０９は、情報記録部１０３から読み出されたコンテンツの符号化データを復号処理して、映像データ及び音声データを復元する。復元されたデジタル映像データはシステム・バス４０２を通じてＡＶインターフェース部４０６に供給され、ＡＶインターフェース部４０６に接続されたテレビジョンなどの外部ＡＶ機器６に出力される。
【００４４】
ＲＯＭ４０３には、情報記録装置１００が実行する処理手順を規定したプログラム・コードなどが格納されている。例えば、加入ＰＲ画面情報を所定の表示タイミングで表示部４０７に画面出力するための処理手順を規定するプログラム・コードは、ＲＯＭ４０３に格納されている。ＲＡＭ４０４は、ＣＰＵ４０１によって実行されるプログラム・コードをロードしたり、プログラムの作業データを書き込んだりするために使用される、書き込み可能な揮発性メモリである。ＣＰＵ４０１は、情報記録装置１００が所定処理を実行するために、必要なプログラム・コードをＲＯＭ４０３からＲＡＭ４０４へロードし、解釈して実行する。
【００４５】
図１に示した情報処理装置１００は、例えばＳＴＢ（Ｓｅｔ  Ｔｏｐ  Ｂｏｘ）とも呼ばれるテレビ放送の受信機に相当し、購入後又は装置の移設後など、必ずユーザの実行する（放送波の）設定操作完了時に、有料放送の加入ＰＲ画面のような、設定と関連する告知画面を表示することで、必ず目に触れさせるようになっている。これによって、有料放送サービスの認知向上が可能であり、同時に効果的な加入ＰＲを実施することができる。また、表示期間の終了日以降は、同様に放送波の設定を行なった後でも、加入ＰＲ画面が表示されないことから、無駄な表示をせず、エラー表示による不安感や、加入操作をした末に加入できないことによる不快感をユーザに与えなくて済む。
【００４６】
以下では、情報処理装置１００において実施される動作手順について説明する。
【００４７】
情報記録部１０３には、ユーザに対して有料放送サービスへの加入を勧めるための、１以上の加入ＰＲ画面情報が格納されている。そして、各々の加入ＰＲ画面情報は表示期間情報（表示開始日時並びに表示終了日時）を有している。また、２以上の加入ＰＲ画面情報が格納される場合、各々の間で優先順位が割り当てられている。
【００４８】
図２には、情報記録部１０３内に複数の加入ＰＲ画面情報が格納されている様子を模式的に示している。同図において、横軸（水平軸）は時間軸であり、各加入者ＰＲ画面情報の長さが表示期間に相当する。また、縦軸は優先順位を表し、紙面上方の加入ＰＲ画面の優先順位が高いものとする。
【００４９】
情報記録部１０３は、例えば、下表に示すようなＰＲ画面テーブルを用いて、複数の加入ＰＲ画面情報を管理するようにしている。同表に示すように、ＰＲ画面テーブルには、情報記録部１０３内にインストールされている加入ＰＲ画面情報毎にエントリが登録される。各エントリは、加入ＰＲ画面情報を識別するＰＲＩＤ、割り当てられた優先順位、表示期間を規定する表示開始日時及び表示終了日時、無料体験チャンネルＩＤを格納している。
【００５０】
【表１】
2009153060.tif 000003
【００５１】
また、各加入ＰＲ画面情報のコンテンツ・ファイルは、下表に示すようなＰＲ画面ファイル・テーブルにより管理されている。
【００５２】
【表２】
2009153060.tif 000004
【００５３】
各加入ＰＲ画面情報は、表示期間内に限り、（例えばユーザが情報処理装置１００に対して行なった所定の操作に応じて定まる）所定のタイミングで、表示部４０７で画面出力される。加入ＰＲ画面の表示タイミングが到来すると、まず、ＰＲ画面テーブルで現在日時が表示期間内並びにその期間前となる加入ＰＲ画面情報を検索する。そして、表示期間内の加入ＰＲ画面情報が発見されると、続いて、該当するＰＲＩＤと表示ＩＤを基に、ＰＲ画面ファイル・テーブルを検索して、該当するＰＲ画面ファイルを基に加入ＰＲ画面（後述）を生成する。
【００５４】
ここで、同じ表示期間内に複数の加入ＰＲ画面情報が競合する（すなわち、表示期間が重複する複数の加入ＰＲ画面情報が存在する）場合には、優先順位に応じて各加入ＰＲ画面情報の表示形態に軽重が付けられる。例えば、優先順位に応じた順番で各加入ＰＲ画面情報を画面表示する、優先順位に応じた大きさ若しくは画面配置で各加入ＰＲ画面情報を並列表示する、優先順位の高い加入ＰＲ画面情報ほど長く表示するなどさまざまであり、本発明の要旨は特定の表示形態には限定されない。
【００５５】
これらの加入ＰＲ画面情報は、例えば、当該情報処理装置１００の工場出荷時に情報記録部１０３内にプリインストールしておくことができる。あるいは、ユーザの家庭内に設置した後、任意のタイミングでネットワーク接続部４０８を介して情報記録部１０３にダウンロードするようにしてもよい。あるいは、加入ＰＲ画面情報をあらかじめ情報記録部１０３に格納するのではなく、加入ＰＲ画面配信サイトのＵＲＬと表示場所と表示期間を受信更新して、加入ＰＲ画面の表示を行なうようにしてもよい。また、加入ＰＲ画面に併せて再生出力するＰＲ音声やＰＲビデオ、ＰＲメッセージ・テキストをネットワーク経由で自動的に取得する。
【００５６】
各加入ＰＲ画面情報の表示期間や優先順位は、例えば、情報記録部１０３へのプリインストール時やダウンロード時に付与することができる。あるいは、情報記録部１０３に格納する際に一旦付与した表示期間や優先順位を、後日、所定の手続きなどを経て更新するようにしてもよい。
【００５７】
表示期間や優先順位は、加入ＰＲ画面情報がユーザを有料放送サービスへの加入を勧誘する広告宣伝効果に大きく影響する。このため、情報処理装置１００の製造販売業者は、情報記録部１０３に加入ＰＲ画面情報をプリインストールしたりダウンロードしたりする際に、付与する表示期間の長さや優先順位の高さなどに応じて、広告元となる有料放送サービス事業者に対して課金処理を行なうようにしてもよい。
【００５８】
情報処理装置１００が加入ＰＲ画面情報を表示部４０７に画面出力するタイミングは、基本的には、ユーザが情報処理装置１００に対して行なった所定の操作に応じて定まる。その具体的なタイミングとして、放送波の設定画面の設定完了画面に引き続いて加入ＰＲ画面を表示することが挙げられる。
【００５９】
購入した衛星放送チューナを配線し、設定などの作業を行なうユーザは主として男性であることが想定される。購入したばかりの機器の設定を終え、利用する前の心理状態として、作業完了の達成感、高揚感、安堵感があり、いろいろ試して何かをしてみたい（例えば、とりあえず何か録ってみたい、見てみたい）という好奇心も懐くことが推定される。かかる心理状態にあるユーザに対し、加入ＰＲ画面を提示することは、広告、宣伝の効果が極めて高い、と本発明者らは思料する。
【００６０】
以下では、放送チューナとしての情報処理装置１００において、ユーザに対して加入ＰＲ画面を提示するための手順を、図３〜図１５に示す画面遷移図を参照しながら説明する。
【００６１】
以下の説明では、入力操作部４０５は、入力操作部４０５が装備するキー／ボタン群として、チャンネル選択ボタンや選局ボタン、音量調整ボタン、上下左右のカーソル・ボタンの他に、現在選択中の内容を決定する「決定」ボタン、１つ前の状態に戻ることを指示する「戻る」ボタン、提示中の選択肢の中からいずれかの項目を選択する「選択」ボタン、処理の実行を指示する「実行」ボタン、実行中の処理若しくは現在の選択内容をキャンセルする「中止」ボタンを備えているものとする。
【００６２】
放送チューナとしての情報処理装置１００を購入した後、最初に電源を投入した時点では、すべての機器設定が未設定の状態であり、表示部４０７の画面上には、図１５に示す第１の設定画面（ＳＥＴ−０１）が表示され、ユーザに対し、本機の使用に必要な初期設定を行なうかどうかを問い合わせる。ここで、ユーザが入力操作部４０５で「実行」ボタンを押し、続いて「決定」ボタンを押して、簡単設定を行なうことを決定すると、図１６に示す第２の設定画面（ＳＥＴ−０２）に遷移する。また、ユーザが入力操作部４０５で「中止」ボタンを押し、続いて「決定」ボタンを押して、簡単設定が中止され、図２１に示す基本画面（ＴＯＰ−０１）に遷移する。
【００６３】
図１６に示す第２の設定画面（ＳＥＴ−０２）上では、ユーザに対しＢＳ放送並びにＣＳ放送のチャンネル設定を行なうかどうかを問い合わせる。ここで、ユーザが入力操作部４０５で「実行」ボタンを押し、続いて「決定」ボタンを押して、ＢＳ放送並びにＣＳ放送のチャンネル設定を行なうことを決定すると、図１７に示す第３の設定画面（ＳＥＴ−０３）に遷移する。また、ユーザが入力操作部４０５で「中止」ボタンを押し、続いて「決定」ボタンを押して、ＢＳ放送並びにＣＳ放送のチャンネル設定が中止となり、図１９に示す第５の設定画面（ＳＥＴ−０５）に遷移する。また、ユーザが「戻る」ボタンを押すと、１つ前の第１の設定画面（ＳＥＴ−０１）に戻る。
【００６４】
図１７に示す第３の設定画面（ＳＥＴ−０３）上では、ユーザに対しＢＳ放送並びにＣＳ放送用のアンテナへの電源供給の仕方の選択を促す。ここで、ユーザが入力操作部４０５で「実行」ボタンを押し、続いて「決定」ボタンを押して、当該アンテナへの電源供給の仕方として「自動」を決定すると、図１８に示す第４の設定画面（ＳＥＴ−０４）に遷移する。また、ユーザが「戻る」ボタンを押すと、１つ前の第２の設定画面（ＳＥＴ−０２）に戻る。
【００６５】
図１８に示す第４の設定画面（ＳＥＴ−０４）上では、ユーザに対しＢＳ放送並びにＣＳ放送用のアンテナの受信レベルが表示される。図示の例では、水平方向の棒グラフの形式でアンテナ・レベルと最大値が数値とともに表示される（デジタル・テレビやデジタル・チューナにおいて、アンテナ・レベル表示機能が搭載されるのは一般的である）。ここで、ユーザが入力操作部４０５で「決定」ボタンを押して、当該アンテナ・レベルを確認したことを示すと、図１９に示す第５の設定画面（ＳＥＴ−０５）に遷移する。また、ユーザが「戻る」ボタンを押すと、１つ前の第３の設定画面（ＳＥＴ−０３）に戻る。
【００６６】
図１９に示す第５の設定画面（ＳＥＴ−０５）上では、ユーザに対し地上アナログ・チャンネルの設定を促す。図示の例では、設定方法として、地域番号毎の放送局を自動で登録する「オート」と、受信できるすべての放送局を自動で登録する「スキャン」と、地上アナログ・チャンネルの設定操作をスキップする「スキップ」の３つが選択肢として与えられる。ここで、ユーザが入力操作部４０５で「選択」ボタンによりいずれかの選択肢を選択してから「決定」ボタンを押すと、地上アナログ・チャンネルの設定又はそのスキップが行なわれ、図２０に示す第６の設定画面（ＳＥＴ−０６）に遷移する。また、ユーザが「戻る」ボタンを押すと、１つ前の第４の設定画面（ＳＥＴ−０４）に戻る。
【００６７】
図２０に示す第６の設定画面（ＳＥＴ−０６）上では、ユーザに対し当該設定操作を終了してよいか確認を促す。ここで、ユーザが入力操作部４０５で「終了」ボタンを押してから「決定」ボタンを押すと、当該設定操作が終了する。また、ユーザが「戻る」ボタンを押すと、１つ前の第５の設定画面（ＳＥＴ−０５）に戻る。
【００６８】
第６の設定画面（ＳＥＴ−０６）上でユーザが設定操作の終了を指示すると、引き続いて、加入ＰＲ画面を表示する。購入したばかりの機器の設定を終えたユーザは、いろいろ試して何かをしてみたいという心理状態に陥ることが想定され、加入ＰＲ画面を提示して得られる広告、宣伝の効果が極めて高い、と本発明者らは思料する。
【００６９】
加入ＰＲ画面情報は、表示期間と優先順位とともに、情報記録部１０３に格納されている。本実施形態では、同じ加入ＰＲ画面情報であっても表示期間内のときと表示期間前とでは表示形態を異ならせるようにしている。また、表示期間が終了した加入ＰＲ画面情報は表示しない。
【００７０】
図２１には表示期間内の加入ＰＲ画面（ＰＲ１−０１−Ａ）の表示例を示し、図２２には、表示期間前の加入ＰＲ画面（ＰＲ１−０１−Ｂ）の表示例を示している。図２１に示す表示期間内の加入ＰＲ画面（ＰＲ１−０１−Ａ）は通常の告知となるが、図２２に示す表示期間前の加入ＰＲ画面（ＰＲ１−０１−Ｂ）は「１２月１日から加入ができます」というように、サービス開始日時を予告する内容が含まれている。加入ＰＲ画面が予告であることを明示する意図は、表示した時点では加入手続きをとることはできないが、加入開始時にユーザが忘れている子を避けることにある。また、加入ＰＲ画面が予告であることを明示することにより、加入開始日時よりも前に無駄な加入操作をした末に加入できないことによる不快感をユーザに与えなくて済む。
【００７１】
また、図２２に示す表示期間前の加入ＰＲ画面（ＰＲ１−０１−Ｂ）を表示しないで、加入ＰＲ表示の有無の選択ボタン（図示しない）を表示し、加入ＰＲ画面の表示ありをユーザが選択したときに、表示開始日時以降の最初の機会の電源オン時やホームボタン押し下げ時に加入ＰＲ画面を表示するようにしてもよい（以下、表示期間前の加入ＰＲ画面について同様）。
【００７２】
図２１並びに図２２に示したいずれの加入ＰＲ画面であっても、ユーザが画面内の「次へ」ボタンを押してから入力操作部４０５の「決定」ボタンを押すと、図２３に示す基本画面に遷移する（図５を参照のこと）。
【００７３】
なお、図２１並びに図２２に示した表示画面中の広告媒体には、例えば放送サービスの名称やロゴ、放送チャンネルの表示、電話番号などの連絡先、加入手続きを行なうサイトを示すＵＲＬ（Ｕｎｉｆｏｒｍ  Ｒｅｓｏｕｒｃｅ  Ｌｏｃａｔｏｒ）又は当該ＵＲＬを含むＱＲ（Ｑｕｉｃｋ  Ｒｅｓｐｏｎｓｅ）コード、加入申し込みのメール・アドレス、キャンペーン期間などのサービス内容などが含まれる。
【００７４】
また、表示期間内の加入ＰＲ画面には「有料放送が無料体験できること」などの現在のサービス内容が表示され、表示期間前の加入ＰＲ画面には「何時から加入手続きが開始されるか」などの予告情報が表示される。
【００７５】
また、加入ＰＲ画面上に、「該当放送サービスの受信設定をする」ボタンを配置し、選択された場合には、本機の受信・表示設定をオンにするようにしてもよい（図示しない）。
【００７６】
また、加入ＰＲ画面上に、「該当放送サービスの提供するチャンネルを優先表示する」ボタンを配置し、選択された場合には、番組表の最上位（グリッド型）又は左端（ラテラン型）に該当チャンネルを配置するようにしてもよい（図示しない）。
【００７７】
また、加入ＰＲ画面上に、「該当チャンネル若しくは該当放送サービスの提供する無料放送をハイライト表示する」ボタンを配置し、選択された場合には、番組表で該当番組をハイライト表示するようにしてもよい（図示しない）。この場合、無料キャンペーン時の認知を上げる効果がある。
【００７８】
また、加入ＰＲ画面表示時に、あらかじめ記憶し当該加入ＰＲ画面と紐付けたＰＲ音声を再生するようにしてもよい。ＰＲ音声再生ボタンをＰＲ画面上に配置し、あらかじめ記憶しＰＲ画面と紐付けたＰＲ画面についてのＰＲ音声を選択時に再生するようにしてもよい（図示しない）。
【００７９】
また、加入ＰＲビデオをあらかじめ記憶し、加入ＰＲ画面に引き続き再生する、あるいは、加入ＰＲ画面上でＰｉｎＰ（Ｐｉｃｔｕｒｅ  ｉｎ  Ｐｉｃｔｕｒｅ）形式で再生するようにしてもよい（図示しない）。再生ボタンを加入ＰＲ画面上に配置し、選択されたときに再生するようにしてもよい。
【００８０】
また、放送チューナとしての情報処理装置が図１に示すようにネットワーク接続機能を備えているときには、ＰＲ対象となる有料放送サービス・チャンネルの加入手続きを行なうための加入ホームページや、当該サービスを案内する案内ホームページへのリンクを持つボタンを加入ＰＲ画面上に配設し、ユーザがこれらのボタンを選択したときに、加入ホームページや案内ホームページに遷移するようにしてもよい。また、加入ＰＲ画面に、「以後最新情報を受け取る」ボタンを配置し、選択された場合、以後、最新情報を受信する都度、表示するようにしてもよい。
【００８１】
但し、本発明の要旨は、広告媒体の特定のコンテンツに限定されるものではない。
【００８２】
図２３に示す基本画面はホーム画面若しくはトップ画面に相当し、本実施形態では、基本画面のユーザ・インターフェースとして、「クロスメディアバー（Ｃｒｏｓｓ  Ｍｅｄｉａ  Ｂａｒ：ＸＭＢ）（登録商標）」と呼ばれるインターフェース・メニューが採用されている。ＸＭＢは、横軸に各カテゴリ（機種により異なるがミュージック、ビデオなど）ら、縦軸に各メディアや（メモリースティックなど）へと分かれ、その後はグループ（パソコン上で言うフォルダに相当する）からファイルを選択して、再生や回覧と進む手順になっている。アイコンが滑らかに動く様子や、非選択時には半透明化し、選択時にはバックで柔らかく点滅するなどの視覚的効果を備えている。図示の例では、カテゴリとして「ビデオ」が選択されており、情報記録部１０３などに格納され当該装置１００上で再生処理が可能となる各メディアを表すアイコンが対軸方向に展開している。なお、ＸＭＢの詳細については、例えば本出願人に既に譲渡されている特開２００６−３１１１５号公報を参照されたい。
【００８３】
また、情報記録部１０３内に、表示期間内並びに表示期間前となる加入ＰＲ画面情報が複数格納されている場合には、各々の優先順位に応じた表示がなされる。図６に示す画面遷移図では、基本的には、表示期間内又はその前のいずれに拘らず優先順位の順番で加入ＰＲ画面が表示され（同図において、ＰＲ１、ＰＲ２の順に優先順位が高いものとする）、ユーザが入力操作部４０５を介して「次へ」ボタン及び「決定」ボタンを押すことで次の画面に切り替わる。
【００８４】
例えば、表示期間内の加入ＰＲ画面情報ＰＲ１−０１−Ａ（図示しない）がまず表示され、「次へ」ボタン及び「決定」ボタンが押された後に同じく表示期間内のＰＲ２−０１−Ａ（図示しない）に切り替わり、さらに「次へ」ボタン及び「決定」ボタンが押されると、基本画面（図２３を参照のこと）に遷移する。
【００８５】
また、表示期間内の加入ＰＲ画面情報ＰＲ１−０１−Ａ（図示しない）がまず表示され、「次へ」ボタン及び「決定」ボタンが押された後に、表示期間前の加入ＰＲ画面情報ＰＲ２−０１−Ｂ（図示しない）に切り替わり、さらに「次へ」ボタン及び「決定」ボタンが押されると、基本画面（図２３を参照のこと）に遷移する。
【００８６】
また、表示期間前の加入ＰＲ画面情報ＰＲ１−０１−Ｂ（図示しない）がまず表示され、「次へ」ボタン及び「決定」ボタンが押された後に同じく表示期間内のＰＲ２−０１−Ａ（図示しない）に切り替わり、さらに「次へ」ボタン及び「決定」ボタンが押されると、基本画面（図２３を参照のこと）に遷移する。
【００８７】
また、表示期間前の加入ＰＲ画面情報ＰＲ１−０１−Ｂ（図示しない）がまず表示され、「次へ」ボタン及び「決定」ボタンが押された後に、表示期間前の加入ＰＲ画面情報ＰＲ２−０１−Ｂ（図示しない）に切り替わり、さらに「次へ」ボタン及び「決定」ボタンが押されると、基本画面（図２３を参照のこと）に遷移する。
【００８８】
また、加入ＰＲ画面情報ＰＲ１の表示期間が終了しているときには、表示期間内のＰＲ２−０１−Ａ（図示しない）若しくは表示期間前の加入ＰＲ画面情報ＰＲ２−０１−Ｂ（図示しない）が表示され、さらに「次へ」ボタン及び「決定」ボタンが押されると、基本画面（図２３を参照のこと）に遷移する。
【００８９】
また、いずれの加入ＰＲ画面情報ＰＲ１及びＰＲ２も表示期間が終了しているときには、図２０に示す第６の設定画面（ＳＥＴ−０６）上でユーザが入力操作部４０５で「終了」ボタンを押してから「決定」ボタンを押すと、直ちに基本画面（図２３を参照のこと）に遷移する。
【００９０】
上述したように、ＢＳ／ＣＳ設定を終了してから基本画面に移行するまでの間に加入ＰＲ画面情報の表示を行なう場合には、ＰＲ対象となる放送サービスのチャンネルの属するＢＳ若しくはＣＳチャンネルの受信強度が十分であるか否かを加入ＰＲ画面上で表示すると、ユーザがそのまま放送サービスへの加入手続きを行なおうとする場合などに参考となるので、利便性が向上する。
【００９１】
図７には、第６の設定画面（ＳＥＴ−０６）ユーザが入力操作部４０５で「終了」ボタンを押してから「決定」ボタンを押した後、表示期間内又はその前の加入ＰＲ画面情報を、受信強度、又は、アンテナの接続若しくはチャンネル設定の状況とともに表示する場合の画面遷移図を示している。
【００９２】
図２４には、表示期間内の加入ＰＲ画面（ＰＲ−０２−Ａ）上で「この設定で○○放送が受信できるようになりました」という内容のコメントを表示して、該当するチャンネルの受信強度が十分であることをユーザに示している様子を示している。また、図２５には、表示期間前の加入ＰＲ画面（ＰＲ−０２−Ｂ）上で「この設定で○○放送が受信できるようになりました」という内容のコメントを表示して、該当するチャンネルの受信強度が十分であることをユーザに示している様子を示している。
【００９３】
図２６には、表示期間内の加入ＰＲ画面（ＰＲ−０３−Ａ）上で「本機は○○放送にも対応しておりますがアンテナレベルが小さくて視聴できません  視聴には“ＢＳ／ＣＳチャンネル設定”の確認が必要です」という内容のコメントを表示して、該当するチャンネルの受信強度が十分でないことをユーザに示している様子を示している。図２７には、表示期間前の加入ＰＲ画面（ＰＲ−０３−Ｂ）上で「本機は○○放送にも対応しておりますがアンテナレベルが小さくて視聴できません  視聴には“ＢＳ／ＣＳチャンネル設定”の確認が必要です」という内容のコメントを表示して、該当するチャンネルの受信強度が十分でないことをユーザに示している様子を示している。
【００９４】
また、該当する放送サービスのチャンネルを受信できない原因として、受信強度が十分でない場合の他に、ＢＳ若しくはＣＳチャンネル受信用のアンテナが接続されていないことや、第５の設定画面（ＳＥＴ−０５）でＢＳ／ＣＳチャンネル設定をスキップしたことなどが想定される。
【００９５】
図２６には、表示期間内の加入ＰＲ画面上（ＰＲ−０４−Ａ）で「本機は○○放送にも対応しております  ＢＳ／ＣＳアンテナを接続し、“ＢＳ／ＣＳチャンネル設定”をすることで視聴できます」という内容のコメントを表示して、アンテナの未接続やチャンネル設定のスキップをユーザに示している様子を示している。図２９には、表示期間前の加入ＰＲ画面上（ＰＲ−０４−Ｂ）で「本機は○○放送にも対応しております  ＢＳ／ＣＳアンテナを接続し、“ＢＳ／ＣＳチャンネル設定”をすることで視聴できます」という内容のコメントを表示して、アンテナの未接続やチャンネル設定のスキップをユーザに示している様子を示している。
【００９６】
なお、図２４〜図２９に示したいずれの加入ＰＲ画面情報の画面表示においても、ユーザがさらに「次へ」ボタン及び「決定」ボタンが押されると、基本画面に遷移する。
【００９７】
また、放送チューナとしての情報処理装置１００の電源を投入した時点でＢＳ／ＣＳ設定が未設定となる場合においても（図３に示した画面遷移図のｃ０１）、表示期間内又はその前の加入ＰＲ画面を表示する。図８には、この場合の画面遷移を示している。
【００９８】
電源を投入した時点でＢＳ／ＣＳ設定が未設定となる場合、図２６に示した、表示期間内の加入ＰＲ画面（ＰＲ−０４−Ａ）、あるいは図２９に示した、表示期間前の加入ＰＲ画面上（ＰＲ−０４−Ｂ）を表示して、アンテナの未接続やチャンネル設定のスキップをユーザに通知する。
【００９９】
なお、図２６、図２９に示したいずれの加入ＰＲ画面情報の画面表示においても、ユーザがさらに「次へ」ボタン及び「決定」ボタンが押されると、基本画面に遷移する。
【０１００】
また、放送チューナとしての情報処理装置１００の電源を投入した時点でＢＳ／ＣＳ設定が設定済みであるが、未加入の放送チャンネルのＰＲを行なわない場合には（図３に示した画面遷移図のｄ０１）、表示期間内の加入ＰＲ画面（ＰＲ−０５−Ａ：図３０を参照のこと）、又はその前の加入ＰＲ画面（ＰＲ−０５−Ｂ：図３１を参照のこと）を表示する。いずれの加入ＰＲ画面情報の画面表示においても、ユーザがさらに「次へ」ボタン及び「決定」ボタンが押されると、基本画面に遷移する。図９には、この場合の画面遷移を示している。
【０１０１】
また、放送チューナとしての情報処理装置１００の電源を投入した時点でＢＳ／ＣＳ設定が設定済みであるが、サービス加入している中の未加入となる特定の放送サービス（○○放送）のＰＲを行なう場合には（図３に示した画面遷移図のｅ０１）、表示期間内の加入ＰＲ画面（ＰＲ−０６−Ａ：図３２を参照のこと）、又はその前の加入ＰＲ画面（ＰＲ−０６−Ｂ：図３３を参照のこと）を表示する。いずれの加入ＰＲ画面情報の画面表示においても、ユーザがさらに「次へ」ボタン及び「決定」ボタンが押されると、基本画面に遷移する。図１０には、この場合の画面遷移を示している。
【０１０２】
図１１には、放送チューナとしての情報処理装置１００が無料体験番組録画予約機能を備えている場合の、ＢＳ／ＣＳ設定（ＳＥＴ−０６）を終了してから基本画面（ＴＯＰ−０１）に移行するまでの間に加入ＰＲ画面情報を表示するための画面遷移図を示している。但し、図７に示した画面遷移図と同様に、ＰＲ対象となる放送サービスのチャンネルの属するＢＳ若しくはＣＳチャンネルの受信強度が十分であるか否かを加入ＰＲ画面上で表示するものとする。
【０１０３】
ＰＲ対象放送サービス・チャンネルの受信強度が十分であり、且つ、その加入ＰＲ画面情報が表示期間内であるときには、図３４に示すように、加入ＰＲ画面（ＰＲ−０２−Ｃ）上で「この設定で○○放送が受信できるようになりました」という内容のコメントを表示して、該当するチャンネルの受信強度が十分であることをユーザに示す。また、ＰＲ対象放送サービス・チャンネルの受信強度が十分であり、且つ、その加入ＰＲ画面情報が表示期間前であるときには、図３５に示すように、加入ＰＲ画面（ＰＲ−０２−Ｃ）上で「この設定で○○放送が受信できるようになりました」という内容のコメントを表示して、該当するチャンネルの受信強度が十分であることをユーザに示す。
【０１０４】
これらの加入ＰＲ画面（ＰＲ−０２−Ｃ、ＰＲ−０２−Ｄ）上には、「無料体験番組録画予約実行」ボタンが配設される。ユーザが画面内の「無料体験番組録画予約実行」ボタンを押してから入力操作部４０５の「決定」ボタンを押すと、無料体験番組録画予約画面（ＬＴ−０１）に遷移する。
【０１０５】
各放送チャンネルでは、ＥＰＧ（Ｅｌｅｃｔｒｉｃ  Ｐｒｏｇｒａｍ  Ｇｕｉｄｅ）データのような番組情報（下表を参照のこと）が配信されている。あるいは、ＰＲ対象となる有料放送サービスが運営するサーバ・サイトなどから、番組情報が配信されている。ＰＲ画面テーブル（前述）より取得した、ＰＲ対象放送サービスについての無料体験チャンネルＩＤと一致するチャンネルＩＤの番組情報の中で、詳細情報の中の＜無料体験＞タグを検索し、無料体験番組録画予約画面（ＬＴ−０１）を作成する。
【０１０６】（公序良俗違反につき、不掲載）【０１０７】
図３６には、無料体験番組録画予約画面（ＬＴ−０１）の構成例を示している。図示の例では、画面内には、無料体験番組のタイトル・リストが、放送日時とともに一覧表示されている。ユーザが入力操作部４０５の上下カーソル・キーなどを用いて所望するタイトルを選択し、さらに「決定」ボタンを押すと、録画予約処理画面（図示しない）に遷移する。この録画予約処理画面上でユーザが入力操作部４０５で「選択」ボタンを押し、さらに「決定」ボタンを押すと、録画予約が確定し、無料体験番組録画予約画面（ＬＴ−０１）に戻る。無料体験番組録画予約画面（ＬＴ−０１）上では、上述した無料体験番組の録画予約処理を繰り返して行なうことができる。また、録画予約処理画面上でユーザが「戻る」ボタンを押すと、図２３に示した基本画面に遷移する。
【０１０８】
また、これらの加入ＰＲ画面（ＰＲ−０２−Ｃ、ＰＲ−０２−Ｄ）上で、ユーザが画面内の「次へ」ボタンを押してから入力操作部４０５の「決定」ボタンを押すと、図２３に示した基本画面に遷移する。
【０１０９】
図１２には、放送チューナとしての情報処理装置１００が無料体験番組録画予約機能を備えている場合の、ＢＳ／ＣＳ設定（ＳＥＴ−０６）を終了してから基本画面（ＴＯＰ−０１）に移行するまでの間に加入ＰＲ画面情報を表示するための画面遷移図を示している。但し、表示期間内又はその前となる複数の加入ＰＲ画面情報が存在するものとする。また、図１１に示した画面遷移図と同様に、ＰＲ対象となる放送サービスのチャンネルの属するＢＳ若しくはＣＳチャンネルの受信強度が十分であるか否かを加入ＰＲ画面上で表示するものとする。
【０１１０】
優先順位の高いＰＲ対象放送サービス・チャンネルの受信強度が十分であり、且つ、その加入ＰＲ画面情報が表示期間内であるときには、「この設定で○○放送が受信できるようになりました」という内容のコメントを含む、表示期間内の加入ＰＲ画面（ＰＲ１−０２−Ｃ：図示しない）に遷移する。また、優先順位の高いＰＲ対象放送サービス・チャンネルの受信強度が十分であり、且つ、その加入ＰＲ画面情報が表示期間前であるときには、「この設定で○○放送が受信できるようになりました」という内容のコメントを含む、表示期間前の加入ＰＲ画面（ＰＲ１−０２−Ｄ：図示しない）に遷移する。
【０１１１】
加入ＰＲ画面（ＰＲ１−０２−Ｃ）上には、「無料体験番組録画予約実行」ボタンが配設される。ユーザが画面内の「無料体験番組録画予約実行」ボタンを押してから入力操作部４０５の「決定」ボタンを押すと、現在のＰＲ対象放送サービス・チャンネルについての無料体験番組のタイトル・リストの一覧からなる無料体験番組録画予約画面（ＬＴ１−０１：図示しない）に遷移する。ユーザは、この無料体験番組録画予約画面（ＬＴ１−０１と）録画予約処理画面（図示しない）を用いて、無料体験番組の録画予約処理を行なうことができる（同上）。
【０１１２】
加入ＰＲ画面（ＰＲ１−０２−Ｃ、ＰＲ１−０２−Ｄ）上で、ユーザが画面内の「次へ」ボタンを押してから入力操作部４０５の「決定」ボタンを押す、又は、録画予約処理画面上でユーザが「戻る」ボタンを押すと、次に優先順位の高いＰＲ対象放送サービス・チャンネルについて、同様の加入ＰＲ画面情報の表示処理が続けて行なわれる。
【０１１３】
すなわち、現在のＰＲ対象放送サービス・チャンネルの受信強度が十分であり、且つ、その加入ＰＲ画面情報が表示期間内であるときには、「この設定で○○放送が受信できるようになりました」という内容のコメントを含む、表示期間内の加入ＰＲ画面（ＰＲ２−０２−Ｃ：図示しない）に遷移する。また、現在のＰＲ対象放送サービス・チャンネルの受信強度が十分であり、且つ、その加入ＰＲ画面情報が表示期間前であるときには、「この設定で○○放送が受信できるようになりました」という内容のコメントを含む、表示期間前の加入ＰＲ画面（ＰＲ２−０２−Ｄ：図示しない）に遷移する。
【０１１４】
加入ＰＲ画面（ＰＲ２−０２−Ｃ）上には、「無料体験番組録画予約実行」ボタンが配設される。ユーザが画面内の「無料体験番組録画予約実行」ボタンを押してから入力操作部４０５の「決定」ボタンを押すと、現在のＰＲ対象放送サービス・チャンネルについての無料体験番組のタイトル・リストの一覧からなる無料体験番組録画予約画面（ＬＴ２−０１：図示しない）に遷移する。ユーザは、この無料体験番組録画予約画面（ＬＴ２−０１と）録画予約処理画面（図示しない）を用いて、無料体験番組の録画予約処理を行なうことができる（同上）。
【０１１５】
そして、最後のＰＲ対象放送サービス・チャンネルについての加入ＰＲ画面（ＰＲ２−０２−Ｃ、ＰＲ２−０２−Ｄ）上で、ユーザが画面内の「次へ」ボタンを押してから入力操作部４０５の「決定」ボタンを押す、又は、録画予約処理画面上でユーザが「戻る」ボタンを押すと、図２３に示した基本画面に遷移する。
【０１１６】
放送チューナとしての情報処理装置１００の電源を投入した時点でＢＳ／ＣＳ設定が設定済みである場合に、第６の設定画面（ＳＥＴ−０６）から基本画面（ＴＯＰ−０１）に移行するまでの間に加入ＰＲ画面情報を提示する際の画面遷移図を図９に示した。この場合の加入ＰＲ画面についても、無料体験番組録画予約機能を与えることができる。
【０１１７】
図１３には、放送チューナとしての情報処理装置１００が無料体験番組録画予約機能を備えている場合の、ＢＳ／ＣＳ設定（ＳＥＴ−０６）を終了してから基本画面（ＴＯＰ−０１）に移行するまでの間に加入ＰＲ画面情報を表示するための画面遷移図を示している。但し、既に受信設定が行なわれているので、ここではＰＲ対象となる放送サービスのチャンネルの属するＢＳ若しくはＣＳチャンネルの受信強度が十分であるか否かを加入ＰＲ画面上で表示しない。
【０１１８】
ＰＲ対象放送サービス・チャンネルの加入ＰＲ画面情報が表示期間内であるときには図３７に示す加入ＰＲ画面（ＰＲ−０５−Ｃ）を表示し、また、ＰＲ対象放送サービス・チャンネルの加入ＰＲ画面情報が表示期間前であるときには図３８に示す加入ＰＲ画面（ＰＲ−０５−Ｄ）を表示する。
【０１１９】
これらの加入ＰＲ画面（ＰＲ−０５−Ｃ、ＰＲ−０５−Ｄ）上には、「無料体験番組録画予約実行」ボタンが配設される。ユーザが画面内の「無料体験番組録画予約実行」ボタンを押してから入力操作部４０５の「決定」ボタンを押すと、当該ＰＲ対象放送サービス・チャンネルについての無料体験番組録画予約画面（ＬＴ−０１：図３６を参照のこと）に遷移する。
【０１２０】
無料体験番組録画予約画面（ＬＴ−０１）上で、ユーザが入力操作部４０５の上下カーソル・キーなどを用いて所望するタイトルを選択し、さらに「決定」ボタンを押すと、録画予約処理画面（図示しない）に遷移する。この録画予約処理画面上でユーザが入力操作部４０５で「選択」ボタンを押し、さらに「決定」ボタンを押すと、録画予約が確定し、無料体験番組録画予約画面（ＬＴ−０１）に戻る。無料体験番組録画予約画面（ＬＴ−０１）上では、上述した無料体験番組の録画予約処理を繰り返して行なうことができる。また、録画予約処理画面上でユーザが「戻る」ボタンを押すと、図２３に示した基本画面に遷移する。
【０１２１】
放送チューナとしての情報処理装置１００の電源を投入した時点でＢＳ／ＣＳ設定が設定済みであるが、サービス加入している中の未加入となる特定の放送サービス（○○放送）のＰＲを行なう場合に、第６の設定画面（ＳＥＴ−０６）から基本画面（ＴＯＰ−０１）に移行するまでの間に加入ＰＲ画面情報を提示する際の画面遷移図を図９に示した。この場合の加入ＰＲ画面についても、無料体験番組録画予約機能を与えることができる。
【０１２２】
図１４には、放送チューナとしての情報処理装置１００が無料体験番組録画予約機能を備えている場合の、ＢＳ／ＣＳ設定（ＳＥＴ−０６）を終了してから基本画面（ＴＯＰ−０１）に移行するまでの間に加入ＰＲ画面情報を表示するための画面遷移図を示している。但し、既に受信設定が行なわれているので、ここではＰＲ対象となる放送サービスのチャンネルの属するＢＳ若しくはＣＳチャンネルの受信強度が十分であるか否かを加入ＰＲ画面上で表示しない。
【０１２３】
サービス加入している中の未加入となる特定の放送サービス（○○放送）の加入ＰＲ画面情報が表示期間内であるときには、図３９に示すような、そのＰＲを行なう加入ＰＲ画面（ＰＲ−０６−Ｃ）を表示する。また、サービス加入している中の未加入となる特定の放送サービス（○○放送）の加入ＰＲ画面情報が表示期間前であるときには、図４０に示す加入ＰＲ画面（ＰＲ−０６−Ｄ）を表示する。
【０１２４】
これらの加入ＰＲ画面（ＰＲ−０６−Ｃ、ＰＲ−０６−Ｄ）上には、「無料体験番組録画予約実行」ボタンが配設される。ユーザが画面内の「無料体験番組録画予約実行」ボタンを押してから入力操作部４０５の「決定」ボタンを押すと、当該ＰＲ対象放送サービス・チャンネルについての無料体験番組録画予約画面（ＬＴ−０２：図４１を参照のこと）に遷移する。
【０１２５】
無料体験番組録画予約画面（ＬＴ−０２）上で、ユーザが入力操作部４０５の上下カーソル・キーなどを用いて所望するタイトルを選択し、さらに「決定」ボタンを押すと、録画予約処理画面（図示しない）に遷移する。この録画予約処理画面上でユーザが入力操作部４０５で「選択」ボタンを押し、さらに「決定」ボタンを押すと、録画予約が確定し、無料体験番組録画予約画面（ＬＴ−０２）に戻る。無料体験番組録画予約画面（ＬＴ−０２）上では、上述した無料体験番組の録画予約処理を繰り返して行なうことができる。また、録画予約処理画面上でユーザが「戻る」ボタンを押すと、図２３に示した基本画面に遷移する。
【産業上の利用可能性】
【０１２６】
以上、特定の実施形態を参照しながら、本発明について詳解してきた。しかしながら、本発明の要旨を逸脱しない範囲で当業者が該実施形態の修正や代用を成し得ることは自明である。
【０１２７】
本発明は、例えば衛星デジタル放送を受信する受信機に適用することによって、ユーザに対して有料放送サービスの加入ＰＲ画面を効果的に提示することができるが、本発明の要旨はこれに限定されるものではない。表示期間内に所定の告知情報をユーザに提示する必要のあるさまざまなタイプの情報処理装置に本発明を適用することができる。
【０１２８】
また、本発明に係る情報処理装置を用いてビジネス・モデルを構築することができる。例えば、加入ＰＲ画面表示、加入ＰＲ画面上のボタン操作、加入ＰＲ音声再生などのイベントをイベント発生日時とともに、ログとしてサーバにメーカ・コードとともに送信する。そして、サーバ側では、メーカ・コード別に、各イベントを集計し、あらかじめ決められた価格に従って、受信機毎に集計し、受信機製造メーカに報酬を支払うようにしてもよい。さらに、メーカ・コードとともに機器ＩＤをログとして送信し、メーカの出荷記録を参照して、報酬の一部を販売店に報酬として分配するようにしてもよい。かかるビジネスを実施するには、ユーザ側の識別子の引渡しが必要となる。例えば、ユーザがネットワーク接続された機器本体から加入手続きを行なう場合には、ホームページ案内時に聞き固体機種メーカ固有ＩＤをサーバに引き渡すようにする。あるいは、ユーザが携帯電話やＰＣよりメールなどの手段で加入手続きを行なう場合には、ＱＲ（Ｑｕｉｃｋ  Ｒｅｓｐｏｎｓｅ）コードから生成されるメールやＵＲＬ（Ｕｎｉｆｏｒｍ  Ｒｅｓｏｕｒｓｅ  Ｌｏｃａｔｏｒ）などで暗号化した機器固体機種メーカ固有ＩＤをサーバに引き渡すようにすればよい。
【０１２９】
また、ＰＲ対象の有料放送サービスが、ネット放送、又は、ネットＶＯＤである場合には、加入ＰＲ画面をネット接続設定完了画面に引き続き、表示するようにしてもよい。また、加入ＰＲ画面表示に引き続き、又は同時にＰｉｎＰあるいはオーバーレイ形式で表示し、ネット配信ＰＲビデオ（ＶＯＤ）をその場でアクセスして再生するようにしてもよい。また、ＰＲビデオ番組、無料番組の番組情報テーブルをサーバに要求し、受信し、予約を行なうようにしてもよい。
【０１３０】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【０１３１】
【図１】図１は、本発明の一実施形態に係る情報処理装置１００の構成を模式的に示した図である。
【図２】図２は、情報記録部１０３内に複数の加入ＰＲ画面情報が格納されている様子を模式的に示した図である。
【図３】図３は、情報処理装置１００の画面遷移図である。
【図４】図４は、情報処理装置１００の画面遷移図である。
【図５】図５は、情報処理装置１００の画面遷移図である。
【図６】図６は、情報処理装置１００の画面遷移図である。
【図７】図７は、情報処理装置１００の画面遷移図である。
【図８】図８は、情報処理装置１００の画面遷移図である。
【図９】図９は、情報処理装置１００の画面遷移図である。
【図１０】図１０は、情報処理装置１００の画面遷移図である。
【図１１】図１１は、情報処理装置１００の画面遷移図である。
【図１２】図１２は、情報処理装置１００の画面遷移図である。
【図１３】図１３は、情報処理装置１００の画面遷移図である。
【図１４】図１４は、情報処理装置１００の画面遷移図である。
【図１５】図１５は、第１の設定画面を示した図である。
【図１６】図１６は、第２の設定画面を示した図である。
【図１７】図１７は、第３の設定画面を示した図である。
【図１８】図１８は、第４の設定画面を示した図である。
【図１９】図１９は、第５の設定画面を示した図である。
【図２０】図２０は、第６の設定画面を示した図である。
【図２１】図２１は、表示期間内の加入ＰＲ画面（ＰＲ−０１−Ａ）の表示例を示した図である。
【図２２】図２２は、表示期間前の加入ＰＲ画面の表示例（ＰＲ−０１−Ｂ）を示した図である。
【図２３】図２３は、基本画面を示した図である。
【図２４】図２４は、ＰＲ対象放送サービス・チャンネルの受信強度が十分であることを示した、表示期間内の加入ＰＲ画面（ＰＲ−０２−Ａ）の表示例を示した図である。
【図２５】図２５は、ＰＲ対象放送サービス・チャンネルの受信強度が十分であることを示した、表示期間前の加入ＰＲ画面（ＰＲ−０２−Ｂ）の表示例を示した図である。
【図２６】図２６は、ＰＲ対象放送サービス・チャンネルの受信強度が十分でないことを示した、表示期間内の加入ＰＲ画面（ＰＲ−０３−Ａ）の表示例を示した図である。
【図２７】図２７は、ＰＲ対象放送サービス・チャンネルの受信強度が十分でないことを示した、表示期間前の加入ＰＲ画面（ＰＲ−０３−Ｂ）の表示例を示した図である。
【図２８】図２８は、アンテナの未接続やチャンネル設定のスキップを示した、表示期間内の加入ＰＲ画面（ＰＲ−０４−Ａ）の表示例を示した図である。
【図２９】図２９は、アンテナの未接続やチャンネル設定のスキップを示した、表示期間前の加入ＰＲ画面（ＰＲ−０４−Ｂ）の表示例を示した図である。
【図３０】図３０は、電源を投入した時点でＢＳ／ＣＳ設定が設定済みであるときの、表示期間内の加入ＰＲ画面（ＰＲ−０５−Ａ）の表示例を示した図である。
【図３１】図３１は、電源を投入した時点でＢＳ／ＣＳ設定が設定済みであるときの、表示期間前の加入ＰＲ画面（ＰＲ−０５−Ｂ）の表示例を示した図である。
【図３２】図３２は、電源を投入した時点でＢＳ／ＣＳ設定が設定済みであるが、未加入となる特定の放送サービス（○○放送）のＰＲを行なう場合の、表示期間内の加入ＰＲ画面（ＰＲ−０６−Ａ）の表示例を示した図である。
【図３３】図３３は、電源を投入した時点でＢＳ／ＣＳ設定が設定済みであるが、未加入となる特定の放送サービス（○○放送）のＰＲを行なう場合の、表示期間前の加入ＰＲ画面（ＰＲ−０６−Ａ）の表示例を示した図である。
【図３４】図３４は、表示期間内の加入ＰＲ画面（ＰＲ−０２−Ｃ）を、無料体験番組録画予約ボタンを含めて表示した例を示した図である。
【図３５】図３５は、表示期間前の加入ＰＲ画面（ＰＲ−０２−Ｄ）を、無料体験番組録画予約ボタンを含めて表示した例を示した図である。
【図３６】図３６は、無料体験番組録画予約画面（ＬＴ−０１）の構成例を示した図である。
【図３７】図３７は、表示期間内の加入ＰＲ画面（ＰＲ−０５−Ｃ）を、無料体験番組録画予約ボタンを含めて表示した例を示した図である。
【図３８】図３８は、表示期間前の加入ＰＲ画面（ＰＲ−０５−Ｄ）を、無料体験番組録画予約ボタンを含めて表示した例を示した図である。
【図３９】図３９は、表示期間内の加入ＰＲ画面（ＰＲ−０６−Ｃ）を、無料体験番組録画予約ボタンを含めて表示した例を示した図である。
【図４０】図４０は、表示期間前の加入ＰＲ画面（ＰＲ−０６−Ｄ）を、無料体験番組録画予約ボタンを含めて表示した例を示した図である。
【図４１】図４１は、無料体験番組録画予約画面（ＬＴ−０１）の構成例を示した図である。
【符号の説明】
【０１３２】
１…ネットワーク
２〜４…放送局（地上デジタル放送、ＢＳ放送、ＣＳ放送）
６…外部ＡＶ機器（テレビジョン）
１００…情報処理装置
１０３…情報記録部
４０１…ＣＰＵ
４０２…システム・バス
４０３…ＲＯＭ
４０４…ＲＡＭ
４０５…入力操作部
４０６…ＡＶインターフェース部
４０７…表示部
４０８…ネットワーク接続部
４０９…復号部
４１０…符号化部
４１１…放送受信部
４１４…メディア・インターフェース部
【図１】
2009153060.tif 000005
【図２】
2009153060.tif 000006
【図３】
2009153060.tif 000007
【図４】
2009153060.tif 000008
【図５】
2009153060.tif 000009
【図６】
2009153060.tif 000010
【図７】
2009153060.tif 000011
【図８】
2009153060.tif 000012
【図９】
2009153060.tif 000013
【図１０】
2009153060.tif 000014
【図１１】
2009153060.tif 000015
【図１２】
2009153060.tif 000016
【図１３】
2009153060.tif 000017
【図１４】
2009153060.tif 000018
【図１５】
2009153060.tif 000019
【図１６】
2009153060.tif 000020
【図１７】
2009153060.tif 000021
【図１８】
2009153060.tif 000022
【図１９】
2009153060.tif 000023
【図２０】
2009153060.tif 000024
【図２１】
2009153060.tif 000025
【図２２】
2009153060.tif 000026
【図２３】
2009153060.tif 000027
【図２４】
2009153060.tif 000028
【図２５】
2009153060.tif 000029
【図２６】
2009153060.tif 000030
【図２７】
2009153060.tif 000031
【図２８】
2009153060.tif 000032
【図２９】
2009153060.tif 000033
【図３０】
2009153060.tif 000034
【図３１】
2009153060.tif 000035
【図３２】
2009153060.tif 000036
【図３３】
2009153060.tif 000037
【図３４】
2009153060.tif 000038
【図３５】
2009153060.tif 000039
【図３６】
2009153060.tif 000040
【図３７】
2009153060.tif 000041
【図３８】
2009153060.tif 000042
【図３９】
2009153060.tif 000043
【図４０】
2009153060.tif 000044
【図４１】
2009153060.tif 000045